(57)【要約】【課題】構造を簡易に、コンパクトすることができ、かつ原料の冷却を効率的に均一に行うことができるようにした二重ベルト式冷却機を提供すること。【解決手段】駆動プーリ１と従動プーリ２とを原料の冷却に適した距離を備えるように所要の間隔をあけて対設し、この従動プーリ２の反対側で、駆動プーリ１を挟ようにして外側ベルト用の従動プーリ３を配設し、この駆動プーリ１と従動プーリ２間に内側ベルト４と外側ベルト５の２本のベルトを内外に重ね合わせるようにして張架し、かつこの外側ベルト用の従動プーリ３にて駆動プーリ１より突出するように外側ベルト５を張架するとともに、従動プーリ３側で駆動プーリ１の外側で内外二重となっている２条のベルトを駆動プーリ側に所要圧で押圧するための押圧プーリ６と、この内側ベルト４の内側と外側ベルト５の外側にそれぞれ冷却用の液体を噴射して冷却するための冷却機構８、９とを配設する。【選択図】図１
2005147471.tif 000002
【特許請求の範囲】
【請求項１】
所要の間隔をあけて対設した駆動プーリ、従動プーリ間に内外に重ね合わせるようにしてエンドレス状の内側ベルト及び外側ベルトを、その上下両面側より冷却可能として張架するとともに、原料を駆動プーリの反対側に延長するよう張架した外側ベルト上に供給するように構成したことを特徴とする二重ベルト式冷却機。
【請求項２】
ベルトの上下両面側より冷却する冷却機構を、駆動プーリ、従動プーリ間に張架する内外両側ベルトに対し、ベルト下面冷却機構と、ベルト上面冷却機構とを配設して構成したことを特徴とする請求項１記載の二重ベルト式冷却機。
【請求項３】
駆動プーリ、従動プーリ間を、原料の冷却に要する距離を有するようにして設定したことを特徴とする請求項１又は２記載の二重ベルト式冷却機。
【発明の詳細な説明】
【技術分野】
【０００１】
本発明は、二重ベルト式冷却機に関し、特に、対設した駆動プーリ、従動プーリ間に、２本のエンドレスベルトを内外に重ね合わせるようにして張架し、外側ベルトの延長上にて原材料を供給することにより構造をコンパクトとし、かつ冷却をベルトの内外両側から効率的に均一に行うようにした二重ベルト式冷却機に関するものである。
【背景技術】
【０００２】
従来、複写機用のトナー原料、その他の顔料、染料、チョコレートなどの食品、その他の各種原料を冷却するものとして一般に汎用されている二重ベルト式冷却機は、図４に示すように、エンドレス状スチールベルトを２条、上下において対向し、かつその一面、例えば、ベルトの往路側を互いに接触、又は近設するように対設し、さらに必要に応じてこの二重ベルトの片方を高くするよう傾斜させて配設し、この上下に対設される二重ベルトの一端側、例えば、下端側において、上部ベルトよりも下部ベルトを少し長く下部ベルトより突出するようにし、この下部ベルトの突出部分上方に原料を供給するためのフィードを配設し、これより冷却する原料を下部ベルトの突出部分上に供給し、ベルトの上端側より冷却された原料を取り出すように構成している。
【０００３】
ところで、上記従来の二重ベルト式冷却機においては、２本のエンドレス状スチールベルトを単に上下に重ねるように対設している構造からして、またベルトを掛けるシーブ位置におけるスチールベルトの許容湾曲度とからして冷却機をコンパクト化するにも限度があり、さらに原料の冷却を効率的に行うためにベルトの内外両側から行うようにすれば構造が複雑になるという問題があった。
【発明の開示】
【発明が解決しようとする課題】
【０００４】
本発明は、上記従来の二重ベルト式冷却機の有する問題点に鑑み、構造を簡易に、コンパクトすることができ、かつ原料の冷却を効率的に均一に行うことができるようにした二重ベルト式冷却機を提供することを目的とする。
【課題を解決するための手段】
【０００５】
上記目的を達成するため、本発明の二重ベルト式冷却機は、所要の間隔をあけて対設した駆動プーリ、従動プーリ間に内外に重ね合わせるようにしてエンドレス状の内側ベルト及び外側ベルトを、その上下両面側より冷却可能として張架するとともに、原料を駆動プーリの反対側に延長するよう張架した外側ベルト上に供給するように構成したことを特徴とする。
【０００６】
この場合において、ベルトの上下両面側より冷却する冷却機構を、駆動プーリ、従動プーリ間に張架する内外両側ベルトに対し、ベルト下面冷却機構と、ベルト上面冷却機構とを配設して構成することができる。
【０００７】
また、駆動プーリ、従動プーリ間を、原料の冷却に要する距離を有するようにして設定することができる。
【発明の効果】
【０００８】
本発明の二重ベルト式冷却機によれば、駆動プーリ、従動プーリ間に内外に重ね合わせるようにしてエンドレス状の内側ベルト及び外側ベルトを張架し、また、ベルトの上下両面側より冷却可能としているので冷却がより均一になり、冷却効率を飛躍的に向上させることができ、さらに駆動プーリの反対側に延長するよう張架した外側ベルト上に原料を供給することから、従来と同じ能力を有する装置であっても従来装置よりもさらに小型化することができる。
【０００９】
また、ベルトの上下両面側より冷却する冷却機構を、駆動プーリ、従動プーリ間に張架する内外両側ベルトに対し、ベルト下面冷却機構と、ベルト上面冷却機構とを配設して構成することにより、原料の冷却を効率的に、かつ均一に行えるので、製品の価値を向上させることができる。
【００１０】
また、駆動プーリ、従動プーリ間を、原料の冷却に要する距離を有するようにして設定することにより、冷却する原料や用途に応じて装置の長さ方向のみの変更で対処することができるので、装置の設計が簡易に行える。
【発明を実施するための最良の形態】
【００１１】
以下、本発明の二重ベルト式冷却機の実施の形態を図面に基づいて説明する。
【実施例１】
【００１２】
図１〜図３に、本発明の二重ベルト式冷却機の一実施例を示す。
この二重ベルト式冷却機は、駆動プーリ１と従動プーリ２とを原料の冷却に適した距離を備えるように所要の間隔をあけて対設し、この従動プーリ２の反対側で、駆動プーリ１を挟ようにして外側ベルト用の従動プーリ３を配設し、この駆動プーリ１と従動プーリ２間に内側ベルト４と外側ベルト５の２本のベルトを内外に重ね合わせるようにして張架し、かつこの外側ベルト用の従動プーリ３にて駆動プーリ１より突出するように外側ベルト５を張架するとともに、従動プーリ３側で駆動プーリ１の外側で内外二重となっている２条のベルト４、５を駆動プーリ側に所要圧で押圧するための押圧プーリ６と、外側ベルト５のガイドプーリ７と、この内側ベルト４の内側と外側ベルト５の外側にそれぞれ冷却用の液体を噴射して冷却するための冷却機構８、９とを配設して構成する。
これにより、駆動プーリ１と従動プーリ２間において、内側ベルト４の外表面に沿うように外側ベルト５が配設され、２本のベルトが内外に重ね合わせられるようになる。
【００１３】
この駆動プーリ１及び従動プーリ２、３の幅は、特に限定されるものではないが、例えば、いずれも同じ幅としで、内側ベルト４、外側ベルト５の幅に合わせて設定され、内側ベルト４の内側にはＧＶロープが突設され、このＧＶロープのため、駆動プーリ１及び従動プーリ２の両端には該ＧＶロープを嵌合するための溝（図示省略）を形成する。また、外側ベルト５の外側に突設されたＧＶロープを嵌合するための溝（図示省略）を押圧プーリ６及びガイドプーリ７に形成する。
なお、駆動プーリ１、従動プーリ２間は、原料の冷却区間Ｌとなり、上述のように内外に重ね合わせて二重となるよう２条のスチールベルトを張架するが、従動プーリ２の反対側の駆動プーリ１、従動プーリ３間は、外側ベルト５のみが従動プーリ３により延長して張架されるので、該部分においてベルトは外側ベルト５のみの一重となり、かつこの駆動プーリ１、従動プーリ３間の空間部分の距離を少しあけるようにする。これにより、駆動プーリ１、従動プーリ３間の空間部分Ｌ２に原料を供給するためのフィード１０及び粗砕機１１とを配設する。
【００１４】
また、内側ベルト４及び外側ベルト５は、それぞれ予め設定した張力で駆動プーリ１、従動プーリ２、３間に張架されるよう、従動プーリ２、３にそれぞれ緊張機構２ａ、３ａを配設し、各ベルト４、５の張力の調節を行えるようにする。
なお、内側ベルト４を駆動するために駆動プーリ１はモータ等の駆動装置１３を付設する。これにより、内外に重ね合わせて内外二重となっている内側ベルト４及び外側ベルト５は同時に駆動されるが、原料を内外両側ベルト４、５間にて挟持しつつ搬送する際、外側ベルト５がこの挟持原料のためスリップする虞がある。これを防止するため、内外両側ベルト４、５で駆動プーリ１の位置において配設され、駆動プーリ側に所要圧で押圧するための押圧プーリ６を駆動装置（図示省略）にて駆動するようにする。
この際、内外両側ベルト４、５の送り速度が合致するように駆動速度を調節するようにする。このため、駆動プーリ１及び押圧プーリ６の駆動を、特に限定されるものではないが、例えば、インバータ制御するのが望ましく、調整も簡易、正確に行える。
駆動プーリ１、従動プーリ２間に内外に重ね合わせるようにして張架されるエンドレス状の内側ベルト４及び外側ベルト５が、必要に応じて駆動プーリ１、従動プーリ２間で許容された範囲以上に撓まないようにするため、この内側ベルト４及び外側ベルト５の下面を支持するよう所定の間隔でガイドローラ１２を配設することができる。これにより、ベルトの垂れ下がりを防止するとともに、内側ベルト４、外側ベルト５間の押圧力をベルトの全長に亘って均一となるようにすることができる。
【００１５】
また、内外両側ベルト４、５間にて原料を挟持しつつ搬送する際、この原料を冷却するため、内側ベルト４及び外側ベルト５を冷却するための冷却機構８、９を配設する。
この冷却機構８、９は、特に限定されるものではないが、例えば、主としてベルトの下面側を冷却するためのベルト下面冷却機構８Ａ、９Ａと、ベルトの上面側を主として冷却するためのベルト上面冷却機構８Ｂ、９Ｂとより構成する。
ベルト下面冷却機構８Ａ、９Ａは、特に限定されるものではないが、例えば、同じ構成のものとし、外側ベルト５の往路側下面と、内側ベルト４の復路側下面とにそれぞれ冷却用の液体を噴射するための複数の冷却液噴射ノズル８ａ、９ａを、内外両側ベルト４、５の移送方向に沿って所定間隔毎に複数配設し、またこの内外両側ベルト４、５の下面に接触した後、落下する冷却用の液体を受け止めるために集水バン８ｂ、９ｂを配設して構成する。
なお、下方の集水バン９ｂは、駆動される外側ベルト５の表面を伝ってベルト端部から流下する冷却液をも受け止められるよう外側ベルト５の全長に亘ってその下面側を支持できるように配設する。
また、ベルト上面冷却機構８Ｂ、９Ｂは、内側ベルト４の往路側上面と、外側ベルト５の復路側上面とを冷却するように構成するもので、いずれも同じ構成をしており、それぞれベルトの高位置側に配設するスプリンクルトラフ８ｃ、９ｃと、このスプリンクルトラフ８ｃ、９ｃより吐出された冷却液がそれぞれ内外両側ベルト４、５の表面を伝って流下する冷却液を集水するようにして受け止めるため、それぞれベルトの低位置側に配設する集水堰８ｄ、９ｄとより構成し、このスプリンクルトラフ８ｃ、９ｃと集水堰８ｄ、９ｄとを一対とする。
【００１６】
また、駆動プーリ１、従動プーリ３間の空間部分Ｌ２内には、前記原料を供給するためのフィード１０と、このフィード１０と駆動プーリ１との間に、内外両側ベルト４、５間にて原料を挟持しつつ搬送することにより冷却された原料を、必要に応じて確実にベルト面から確実に剥離除去するための剥離機構（図示省略）と、剥離除去された冷却原料を粉末にし易いよう、予め粗目に破砕するための粗砕機１１とを配設する。これにより、冷却され板状となっている原料を粗砕機１１にて粗破砕した後、駆動プーリ１、従動プーリ３間の空間部分Ｌ２より機外に取り出し、所要のミル等にて微粉末に粉砕するようにする。
なお、押圧プーリ６と従動プーリ３間に張架される外側ベルト５の往路側下面側を、特に限定されるものではないが、冷却するようにすることができる。この冷却は外側ベルト５の往路側下面を冷却するようにして構成した装置を延長して配設することにより行うことができる。これにより、原料をフィード１０より外側ベルト５上に供給された直後より冷却することができる。
【００１７】
また、必要に応じて、駆動プーリ１及び従動プーリ２を冷却するための冷却機構１Ａ、１Ｂを配設することができる。
【００１８】
次に、この二重ベルト式冷却機の動作について説明する。
冷却機構８、９にそれぞれ冷却液（又は冷却水）をポンプを駆動することにより供給すると、冷却用液体噴射ノズル８ａ、９ａから冷却液がそれぞれ内側ベルト４及び外側ベルト５の下側の面に向かって噴射された後、下方位置に配設された集水バン８ｄ、９ｄ内に集水されて冷却液槽内へ戻されるとともに、上部及び下部のスプリンクルトラフ８ｃ、９ｃからも冷却液が吐出され、それぞれ内側ベルト４及び外側ベルト５の表面上を流下し集水堰８ｄ、９ｄにて集水された後、冷却液槽内へ戻される。これにより、２本のエンドレスベルトを内外に重ね合わせるようにして張架された内側ベルト４及び外側ベルト５は、その上下両面から冷却されるものとなる。
なお、冷却液槽と冷却機構８、９との間をポンプ及び配管（いずれも図示省略）を配設して冷却液を循環するようにしているから、連続的に内側ベルト４及び外側ベルト５の上下両表面を同時に冷却することができる。
【００１９】
また、この冷却液の循環とともに駆動プーリ１及び押圧プーリ６も駆動されるので、フィード１０より冷却する原料が、駆動プーリの反対側に延長するよう張架した外側ベルト上に供給されると、この供給された原料は、内外に重ね合わせるようにして張架された内側ベルト４、外側ベルト５間にて挟持され板状となり、ベルトの駆動にて搬送されるとともに、内側ベルト４、外側ベルト５がそれぞれ内外両面より冷却されているので、挟持搬送される原料は効率的に、均一に冷却される。
なお、この場合、板状となる原料の厚さは、内側ベルト４、外側ベルト５間の押圧挟持圧、すなわち、駆動プーリ１、押圧プーリ６間の隙間調整により設定される。
この場合、駆動プーリ１、従動プーリ２間に張架された内側ベルト４、外側ベルト５の往路側及び復路側の双方にて冷却されるので、駆動プーリ１、従動プーリ２間を短くしたコンパクトな冷却機においても効率的に原料の冷却が行われる。
【００２０】
また、冷却された原料は、駆動プーリ１の位置において、かつ、内外に重ね合わせるようにして張架された内側ベルト４、外側ベルト５とが離間する位置にて内側ベルト４、外側ベルト５から剥離されるようになってベルト間より押し出される。この板状になった原料は、駆動プーリ１に近設された粗砕機にて破砕された後、冷却機外へ排出されるようになる。
【００２１】
以上、本発明の二重ベルト式冷却機について、その実施例に基づいて説明したが、本発明は上記実施例に記載した構成に限定されるものではなく、その趣旨を逸脱しない範囲において適宜その構成を変更することができるものである。
【産業上の利用可能性】
【００２２】
本発明の二重ベルト式冷却機は、構造を簡易に、コンパクトすることができ、かつ原料の冷却を効率的に均一に行うことができるという特性を有していることから、複写機用のトナー原料、その他の顔料、染料、チョコレートなどの食品、その他の各種原料を冷却の用途に好適に用いることができる。
【図面の簡単な説明】
【００２３】
【図１】本発明の二重ベルト式冷却機の一実施例を示す説明図である。
【図２】同断面図である。
【図３】本発明の二重ベルト式冷却機の変形実施例の冷却機構の説明図である。
【図４】従来の二重ベルト式冷却機を示す説明図である。
【符号の説明】
【００２４】
１    駆動プーリ
１Ａ  冷却機構
２    従動プーリ
２Ａ  冷却機構
３    従動プーリ
４    内側ベルト
５    外側ベルト
６    押圧プーリ
７    ガイドプーリ
８    冷却機構
８Ａ  ベルト下面冷却機構
８Ｂ  ベルト上面冷却機構
９    冷却機構
９Ａ  ベルト下面冷却機構
９Ｂ  ベルト上面冷却機構
１０  フィード
１１  粗砕機
１２  ガイドローラ
１３  駆動装置
【図１】
2005147471.tif 000003
【図２】
2005147471.tif 000004
【図３】
2005147471.tif 000005
【図４】
2005147471.tif 000006